(57)【要約】【課題】      夏用上着に適した作り芯であり、着用することにより熱い場合には積極的に涼しい感じを与えるような上着用作り芯を提供する。【解決手段】  ２枚以上の芯地１１、１２が重なり合った作り芯１において、相変化にともなって潜熱を蓄熱または放熱する相変化物質を内包した蓄熱マイクロカプセルが少なくとも１枚の好ましくは不織布からなる芯地１２に付着されており、蓄熱マイクロカプセルが付着していない芯地１１は織密度が小さいものである。蓄熱マイクロカプセルが付着している芯地１２が台芯１１の上で一番上に配置されており、作り芯１が上着の前身頃に取付けられた状態では、作り芯の芯地のうち台芯１１が上着の表生地側に位置し、蓄熱マイクロカプセルが付着している芯地１２が上着の内側に位置するように上着に取付ける。【選択図】    図１
2007231489.tif 000002
【特許請求の範囲】
【請求項１】
２枚以上の芯地が重なり合った作り芯において、相変化にともなって潜熱を蓄熱または放熱する相変化物質を内包した蓄熱マイクロカプセルが少なくとも１枚の芯地に付着されており、蓄熱マイクロカプセルが付着していない芯地は織密度が小さいものであることを特徴とする上着用作り芯。
【請求項２】
蓄熱マイクロカプセルが付着している芯地が不織布からなり、作り芯における台芯が織物からなる芯地であることを特徴とする請求項１に記載の上着用作り芯。
【請求項３】
蓄熱マイクロカプセルが付着している芯地が台芯の上で一番上に配置されており、作り芯が上着の前身頃に取付けられた状態では、前記作り芯の芯地のうち台芯が上着の表生地側に位置し、前記蓄熱マイクロカプセルが付着している芯地が上着の内側に位置することを特徴とする請求項１または請求項２に記載の上着用作り芯。
【発明の詳細な説明】
【技術分野】
【０００１】
本発明は上着用作り芯（台芯に必要な増芯を加えて複合した芯。加工芯、作り毛芯ともいう）に関するものであり、特にテーラードタイプ（背広型）の上着における作り芯であって、特に夏用の上着に使用するのに適した作り芯に関するものである。
【背景技術】
【０００２】
従来、テーラードタイプの上着においては、着用者の胸のボリューム感を出してシルエットを美しく見せるために、種々の芯地が内蔵されている。一般的には、台芯（芯地を２枚以上使う場合の基礎となる芯地）と肩芯と胸増芯とフェルト芯の四重構造となっているものが多い。このようなものを一体とした作り芯なども多く使用され、上着の前身頃に取付けられている。
【０００３】
このように複数枚の芯地を重ね合わせていると、冬物の上着としては暖かくてよいが、夏用の上着としては通気性がなく暑い感じがする。特に、２００５年から地球温暖化防止を目的してオフィスの室温を２８℃に設定することが推奨されており、オフィスにおけるビジネススタイルとしては所謂「クールビズ」として上着を脱ぎ、涼しい格好で仕事をすることが提唱されている。しかしがら、商談等の場合には、上着を着用していないと非常にラフな印象を与え、強いては商談に悪影響を与えるので、上着を着用せざるを得ないことが多い。
【０００４】
また、従来から、夏用上着として種々の提案がされている。例えば、実公平４−３５３７１号公報（特許文献１）には、表地を通気性の良い生地とするとともに胸増芯および肩パッドに通気孔を多数設けて通気性を良くした清涼ジャケットが提案されている。
【０００５】
また、特開平７−８２６０２号公報（特許文献２）には、表地および裏地ともに紗または絽を用いるものが提案されている。そして、この場合に、胸部の芯地としてレースの編地を使用することが提案されている。
【０００６】
更に、特開２０００−１５４４１０号公報（特許文献３）においては、胸部の補強芯である胸増芯を除去し、その代わりに胸部の補強性と膨らみ感を与えるために、その部分に樹脂を付着した表地のみの上着が提案されている。
【特許文献１】実公平４−３５３７１号公報
【特許文献２】特開平７−８２６０２号公報
【特許文献３】特開２０００−１５４４１０号公報
【発明の開示】
【発明が解決しようとする課題】
【０００７】
特許文献１に提案されているように、通気性を良くするために胸増芯や肩パッドに多数の通気孔を開けた場合には、保形性が悪くなり、また、孔が開いているために部分的に堅さが違い、洗濯などによって型崩れを起こすおそれがある。また、通気性を良くしただけでは温度の高い所では涼しく感じないという問題がある。
【０００８】
また、特許文献２に開示されているようなものでは、表生地が紗または絽に限定されており、このような生地のものは型崩れがし易く、テーラードタイプの上着をこのような紗や絽を使ったものだけとし、胸の部分の芯地としてレース編地を使ったものでは保形性が悪く、美しいシルエットを保つことができないという問題がある。
【０００９】
更に、特許文献３に提案されているように裏地を使用せずに樹脂を塗布したようなものでは、その樹脂を塗布した部分だけ堅くなり、手触りも悪く、着用感も悪いものとなる。また、ボリュームも出ないという問題がある。更に、樹脂を塗布したところでは通気性も悪くなり、反って熱く感じるものとなってしまう。
【００１０】
本発明は、上述したような従来技術の欠点を解消し、夏用上着に適した作り芯であり、着用することにより熱い場合には積極的に涼しい感じを与えるような上着用作り芯を提供することを目的とするものである。
【課題を解決するための手段】
【００１１】
本発明は、２枚以上の芯地が重なりあった作り芯において、相変化にともなって潜熱を蓄熱または放熱する相変化物質を内包した蓄熱マイクロカプセルが少なくとも１枚の芯地に付着されており、蓄熱マイクロカプセルが付着していない芯地は織密度が小さいものであることを特徴とする上着用作り芯により、前記の目的を達成する。
【００１２】
また、蓄熱マイクロカプセルが付着している芯地が不織布からなり、作り芯における台芯が織物からなる芯地である上着用作り芯により、前記目的を達成する。
【００１３】
本発明に係る上着用作り芯は、蓄熱マイクロカプセルが付着している芯地が台芯の上で一番上に配置されており、作り芯が上着の前身頃に取付けられた状態では、前記作り芯の芯地のうち台芯が上着の表生地側に位置し、前記蓄熱マイクロカプセルが付着している芯地が上着の内側に位置するように上着に据え付けることが好ましい。
【発明の効果】
【００１４】
本発明によれば、相変化にともなって潜熱を蓄熱または放熱する相変化物質を内包した蓄熱マイクロカプセルを芯地に付着しているので、周囲温度が高くなった場合は、この蓄熱マイクロカプセルにより熱が吸収されるので上着の着用者は涼しく感じることができる。
【００１５】
また、蓄熱マイクロカプセルが付着していない芯地の織密度を小さいものとしているので、通気性もあり、上着の着用者に一層涼しい感じを与える。
【００１６】
不織布に蓄熱マイクロカプセルを付着する場合、不織布は厚みがあるので沢山の蓄熱マイクロカプセルを付着させることができるので、吸熱作用を大きなものとすることができる。
【００１７】
不織布だけでは保形性が良くないが、織物からなる芯地を台芯とすることにより、保形性が良く、また、ボリューム感が出せる。特に、蓄熱マイクロカプセルが付着している不織布と織物からなる台芯とをジグザグ縫いで縫い合わせた場合は適度な動きを出すことができるので好ましい。
【発明を実施するための最良の形態】
【００１８】
以下、図面に示した実施例に基づいて本発明を詳細に説明する。図１は本発明の上着用作り芯の一実施例の平面図である。図２（ａ）は図１に示した作り芯における台芯の平面図であり、図２（ｂ）は蓄熱マイクロカプセルを付着した芯地の平面図であり、図２（ｃ）は返り線（テーラードカラーにおける折返り線）の伸び止めテープの平面図であり、図２（ｄ）は返り線接着テープの平面図である。
【００１９】
図１に示した上着用作り芯１は、前身頃に取付けられる胸増芯（胸の部分に使う増芯）の形状をしている。
【００２０】
この上着用作り芯１は、図２に示すように、台芯１１、蓄熱カプセルを付着した芯地１２、返り線伸び止めテープ１３および返り線接着テープ１４から構成されおり、台芯１１の上に返り線伸び止めテープ１３、その上に蓄熱カプセルを付着した芯地１２、台芯１１の下に返り線接着テープ１４が設けられている。蓄熱カプセルを付着した芯地１２は台芯１１よりも一回り小さく、段差を付けて表地に作り芯の形状がひびかないようにしている。
【００２１】
なお、本発明の上着用作り芯においては、台芯１１と蓄熱マイクロカプセルを付着した芯地１２は必須であるが、返り線伸び止めテープ１３や返り線接着テープ１４は必ずしも作り芯１として一体でなくてもよい。
【００２２】
台芯１１となる芯地は通気性がよく、ハリやコシのある芯地が保形性の上からも好ましく、メッシュ風に目の荒い織物が好ましい。したがって、織密度が小さな芯地が好ましい。芯地の素材としては毛、獣毛、木綿、麻、ポリエステル等の合成繊維などが使用可能である。
【００２３】
蓄熱マイクロカプセルを付着した芯地１２は織物でもよいし、不織布でもよい。特に不織布の場合は、織物よりも厚みを厚くすることができ、蓄熱マイクロカプセルを多量に付着させることができるので、不織布を使用することが好ましい。不織布の厚みとしては例えば０．８〜２ｍｍ程度の厚みのものを使用することができる。この場合、不織布は余り目のつんだものでは通気性が悪くなるので、余り密度の高くないものが好ましい。
【００２４】
蓄熱マイクロカプセルはマイクロカプセル内に内包している物質が固体と液体とに相変化を起こすような物質であって、その相変化をする際に、潜熱を蓄熱または放熱するような物質が内包されているものである。このような物質としては、ｎ−パラフィン類や高級脂肪族炭水化物などがある。ｎ−パラフィン類は種々のものがあるが、その融点が２０〜３２℃であるものが本発明のマイクロカプセルの芯物質として適している。
【００２５】
このような蓄熱マイクロカプセルは、例えば、大和化学工業株式会社から「プレサーモＣシリーズ」として市販されており、特に「プレサーモＣ−２５」は２５℃を境に吸熱と放熱を繰り返して温度を制御する機能を有しているものである。また「プレサーモＣ−３１」は３１℃を境に吸熱と放熱を行なうものである。このようなものを単独で或いは混ぜ合わせて不織布に付着させることにより、所望の温度で吸熱と放熱が行なわれるような状態とすることが可能である。
【００２６】
また、三木理研工業株式会社からも同様に「ＰＭＣＤ−２５」などとして蓄熱マイクロカプセルが市販されおり、このようなものも使用することも可能である。
【００２７】
蓄熱マイクロカプセルを芯地に付着するときには、バインダー（合成樹脂）が使用されるので、蓄熱マイクロカプセルを付着すると、不織布であっても多少固くなる傾向がある。しかし、不織布単独では保形性が悪いので台芯１１と接合することが好ましい。この場合、台芯１１と蓄熱マイクロカプセルを付着した芯地１２とは接着剤（熱可塑性樹脂からなるものが多用される）を使用して接合してもよいが、全体として樹脂が多い状態となるので、好ましくは縫着する。この場合も、ジグザグミシン等により大きなジグザグ縫いで縫い合わせることが好ましい。このようにすると、台芯１１と蓄熱マイクロカプセルを付着した芯地１２は縫合されているが、両者の間で少し動くことが可能であるので、上着を着用した状態で体を動かしたときなども馴染みがよく、硬い感じがせずに着心地のよいものとなる。
【００２８】
また、図１に示すように、両芯地１１、１２の折り返し線側の部分は折り返し線伸び止めテープ１３を挟んで縫い合わせることが好ましい。この場合、折り返し線伸び止めテープ１３は台芯１１と同じ芯地を用い、通気性を持たせることが好ましい。返り線接着テープ１４は返り線の箇所において表地に（表地に接着芯を貼ったものではその接着芯に）本発明の上着用作り芯を取付けるための接着テープである。
【００２９】
なお、本発明の上着用作り芯１は図示した形状や枚数に限定されるものではない。
【図面の簡単な説明】
【００３０】
【図１】本発明の上着用作り芯の一実施例の平面図である。
【図２】図１に示した作り芯の各要素の平面図であり、（ａ）は作り芯における台芯の平面図であり、（ｂ）は蓄熱カプセルを付着した芯地の平面図であり、（ｃ）は返り線の伸び止めテープの平面図であり、（ｄ）は返り線接着テープの平面図である。
【符号の説明】
【００３１】
１    作り芯
１１  台芯
１２  蓄熱カプセルを付着した芯地
１３  返り線伸び止めテープ
１４  返り線接着テープ
【図１】
2007231489.tif 000003
【図２】
2007231489.tif 000004